(57)【要約】      （修正有）【課題】身体が不自由な者が車椅子上で直接用を足し、洗浄を行える折り畳み式車椅子を提供する。【解決手段】シート４０の中間に排出口４１及びシートの底面に設置される排泄装置６０が設けられる。排泄装置は、その上にクッション６３が各々設置され、閉合される場合、２つのクッションが平行状を呈して排出口内に突出される２枚の遮蔽板と、互いに対向し合って対応するように２枚の遮蔽板に設置され、作動により２枚の遮蔽板が閉合状態になって排出口が閉じられ、展開されて排出口が開かれて使用される２つのブレーキ部材６４と、２枚の遮蔽板に掛けられ、２枚の遮蔽板が下に向けて展開される場合、同期して開口部が開かれて、排泄物を受け取るために使用される受け取りバッグと、を備える。【選択図】図３
2018000606.tif 000002
【特許請求の範囲】
【請求項１】
後端には２つのグリップを有し、二側には肘掛け部をそれぞれ有する折り畳み可能な車椅子のフレームと、
前記車椅子のフレームに枢接され、交差して枢接される複数の折り畳みフレームを有し、
前記車椅子のフレームが堅固に展開されて定位されるか折り畳まれる折り畳みユニットと、
前記車椅子のフレームの間に連結される折り畳み可能なシートと、
前記車椅子のフレームの背もたれ棒に装設される折り畳み可能な背もたれマットと、
前記車椅子のフレームの外側にそれぞれ枢着される２つの駆動輪と、
前記車椅子のフレームの前端の下方にそれぞれ枢接される２つのキャスターと、を備える排泄可能な折り畳み式車椅子であって、
前記シートの中間の人体の臀部に適合される位置には、
排出口と、
前記シートの底面に設置される排泄装置と、が設置され、
また、前記排泄装置は、
互いに対向し合って対称を呈するように前記排出口の下方に併設され、且つその面積は前記排出口より大きい２枚の遮蔽板であって、前記２枚の遮蔽板の外側はピボット部材により前記シートの底面に結合され、隣接する２つの内側は自由端を呈し、前記ピボット部材を回転軸として下に向けて展開されるか互いに対向して閉合される状態になり、また、前記２枚の遮蔽板の上表面にはクッションが各々設置され、且つ前記２枚の遮蔽板が閉合される場合、前記２つのクッションが平行状を呈して前記排出口内に突出されることと、
互いに対向し合って対応するように前記２枚の遮蔽板の底面及び二側に設置され、前記２枚の遮蔽板の閉合或いは展開の制御に用いられ、三段のリンクポールで構成されるリンクポールセットを含む２つのブレーキ部材であって、前記リンクポールセットの第一リンクポールセットの内側は第一ピン継手部材により前記２枚の遮蔽板の内側の底端に連結され、第二リンクポールセットの内側及び前記第一リンクポールセットの外側は第二ピン継手部材により枢接状態を呈し、且つ前記第二ピン継手部材は前記シートの底面に設置される横方向スライダー上で左右方向に移動され、第三リンクポールセットの底側及び前記第二リンクポールセットの外側は枢接状態を呈し、且つ前記第三リンクポールセットは前記肘掛け部に設置される縦方向スライダー上で上下方向に移動され、引かれるか押される作動により前記第三リンクポールセットが上下に移動され、これにより前記２枚の遮蔽板が閉合状態になって前記排出口が閉じられ、或いは展開されて前記排出口が開かれて用を足すために使用されることと、
配列状態を呈して前記２枚の遮蔽板の内側の底端に設置される複数のフックと、
防水性材質で構成され、開口部を有し、且つ前記開口部の二側の前記フックに対する位置には複数のフック穴が設けられ、前記２枚の遮蔽板の内側の底端に掛けられると共に前記２枚の遮蔽板が下に向けて展開されると、同期して前記開口部が開かれて、排泄物を受け取るために使用される受け取りバッグとをさらに含むことを特徴とする排泄可能な折り畳み式車椅子。
【請求項２】
前記シートの下底の折り畳みフレームに設置されると共に前記排出口に向けられるスプレーヘッドと、
前記車椅子のフレームに分離可能に掛着され、排水口が圧力ポンプに連結される貯水ボトルと、
その一端が前記圧力ポンプに連結され、他端が前記スプレーヘッドに連結される導水管と、
を備える洗浄装置をさらに含むことを特徴とする請求項１に記載の排泄可能な折り畳み式車椅子。
【請求項３】
前記折り畳みフレームの交差するピン継手軸の上方にはそれぞれ枢着される２枚の板体をさらに備え、且つ前記２枚の板体の上端は中空ピボットにより相互に枢接され、前記洗浄装置の導水管は前記中空ピボットを貫通させた後に前記スプレーヘッドに連結されることを特徴とする請求項２に記載の排泄可能な折り畳み式車椅子。
【請求項４】
前記背もたれマットの後側面には受け座及び面ファスナーをさらに備え、前記貯水ボトルの底部が前記受け座に覆設された後、前記面ファスナーにより前記貯水ボトルが緊縛されることを特徴とする請求項２に記載の排泄可能な折り畳み式車椅子。
【請求項５】
前記貯水ボトルの一側辺には前記圧力ポンプの納置に用いられる第一凹部が形成され、且つ前記貯水ボトルの他側辺には、電池セットが装設されて前記圧力ポンプに電源が提供される第二凹部がさらに形成されることを特徴とする、請求項４に記載の排泄可能な折り畳み式車椅子。
【請求項６】
前記第三リンクポールセットの上端には連結される把持板をさらに備え、且つ前記第三リンクポールセットの下端は前記車椅子のフレームの対応する位置に設けられる縦方向案内孔を貫通させることを特徴とする請求項１に記載の排泄可能な折り畳み式車椅子。
【請求項７】
前記受け取りバッグの開口部の端には１つ以上のジッパーバッグがさらに設けられることを特徴とする請求項１に記載の排泄可能な折り畳み式車椅子。
【発明の詳細な説明】
【技術分野】
【０００１】
本発明は、身体が不自由な者が車椅子の上で直接用を足せる排泄可能な折り畳み式車椅子に関する。
【背景技術】
【０００２】
高齢化の時代に突入したことで、身体が不自由な者にとっては移動のための車椅子が欠かせなくなり、このため市場では各種の車椅子が開発され、様々な使用者の需要を満たしている。
【０００３】
図１は従来の車椅子１０を示す外観斜視図である。携帯性及び収納空間を考慮し、この種の折り畳み式車椅子１０の多くは、対称を呈する２つのフレーム１１の間にＸ字型を呈する折り畳みフレーム１２が枢着されており、且つ各フレーム１２の二側には駆動輪１３がそれぞれ設置され、フレーム１１の前方の底部にはキャスター１４が設置され、２つのフレーム１１の間にはシート１５が水平に設置され、フレーム１１の後上方には背もたれ棒１６が設置され、背もたれ棒１６の上端にはグリップ１７が装設され、２つの背もたれ棒１６の間には背もたれマット１８が覆設されている。
【０００４】
車椅子が長距離運送されるか収納される場合、車椅子の折り畳みフレームの折り畳み構造が利用されて、２つのフレームの間の距離が縮小されて車椅子全体の体積が小さくなり、運送し易くなる。
【先行技術文献】
【特許文献】
【０００５】
【特許文献１】台湾特許出願第Ｍ３８２１２２号明細書
【特許文献２】台湾特許出願第Ｍ３８８９３２号明細書
【発明の概要】
【発明が解決しようとする課題】
【０００６】
しかしながら、前述した従来の車椅子では、身体が不自由な者が用を足す場合、車椅子１０をトイレまで押して行かねば、用を足すことができなかった。さらに、患者の両脚が不自由な場合、看護婦や家族が抱え上げてトイレの上に座らせねばならず、家族や患者にとっては非常に困難であった。
【０００７】
特許文献１に記載されている排泄可能な折り畳み式車椅子１０Ａ（図２Ａ及び図２Ｂ参照）は、上記の従来の車椅子１０との差異は、車椅子のフレーム１２０が前記２本の可動ポール１２１に装設され、前記車椅子のフレーム１２０の上方にはシート１３０が装設され、下方には受け取り便器１４０が装設され、これによって使用者が車椅子１０Ａ上で用を足せるようになる点である。
然しながら、このような構造設計では、使用者が車椅子１０Ａの上で直接用を足すことはできるが、但し、シート１３０がプラスチックで成形されており、且つ排泄穴１３１を有するため、車椅子１０Ａを折り畳む際にはシート１３０及び受け取り便器１４０を取り外さなければならず、使用上不便であった。さらに、シート１３０の排泄穴１３１は固定された開口ではあるため、使用者が車椅子１０Ａの上で用を足すのではなく、図１に示すような一般的な車椅子１０として使用する場合、不便で実用的ではなかった。
このような特許は、例えば、特許文献２に記載されている「便座機能を有する組み合わせ車椅子の構造」など前案を参照する。従来の受け取り便器或いは便器機能が付加される車椅子はどれも、取り外し及び装設が不便であるという問題点が存在し、このため改善の余地がある。
【０００８】
本発明は、このような点に鑑みて創作されたものであり、その目的は、排泄可能な折り畳み式車椅子を提供することを主目的とする。すなわち、身体が不自由な者が車椅子上で直接用を足すことができ、且つ平時では一般的な車椅子として使用でき、運搬するのが便利になる排泄可能な折りたたみ式車椅子を提供することにある。
【課題を解決するための手段】
【０００９】
上述した課題を解決し、目的を達成するために、本発明に係る排泄可能な折り畳み式車椅子は、折り畳み可能な車椅子のフレーム及び前記車椅子のフレームの間に連結される折り畳み可能なシートを備える。前記シートの中間には排出口及びシートの底面に設置される排泄装置が設置される。排泄装置は、上表面にクッションが各々設置され、且つ閉合される場合、前記２つのクッションが平行状を呈して排出口内に突出される２枚の遮蔽板と、互いに対向し合って対応するように２枚の遮蔽板の底面及び二側に設置され、引かれるか押される作動により前記２枚の遮蔽板が閉合状態になって排出口が閉じられ、或いは展開されて排出口が開かれて用を足すために使用される２つのブレーキ部材と、２枚の遮蔽板の内側の底端に掛けられ、且つ前記２枚の遮蔽板下に向けて展開されると、同期して開口部が開かれ、排泄物を受け取るために使用される受け取りバッグと、を含む。
【００１０】
上記の技術手段により、本発明は、平時には一般的な車椅子と同じようになり、折り畳み可能であり、車で運搬できる。使用者が用を足す場合、車椅子の上で直接操作し、排泄装置を開いくことで用を足せるようになる。さらに、洗浄装置により使用者の臀部が洗浄されるため、患者が車椅子から下りたり座ったりする必要がなく、自力で排泄及び洗浄を行える。患者の尊厳が守られる上に利便性も向上し、且つ看護婦や家族にとっても負担が軽減される、人に優しい設計の車椅子である。
【図面の簡単な説明】
【００１１】
【図１】従来の車椅子を示す外観斜視図である。
【図２Ａ】従来の排泄可能な折り畳み式車椅子を示す分解斜視図である。
【図２Ｂ】従来の排泄可能な折り畳み式車椅子を示す構成図である。
【図３】本発明の一実施形態による排泄可能な折り畳み式車椅子を示す外観斜視図であり、正面から見た斜視図。
【図４Ａ】本発明の一実施形態による排泄可能な折り畳み式車椅子を示す外観斜視図であり、後面から見た斜視図。
【図４Ｂ】図４Ａに示す洗浄装置から取り外される分解斜視図である。
【図５】本発明の一実施形態による洗浄装置を他の角度から見た外観斜視図である。
【図６】本発明の一実施形態による洗浄装置を示す断面図である。
【図７】本発明の一実施形態による排泄装置を示す展開図である。
【図７Ａ】図７に示す受け取りバッグの開口部を示す断面図である。
【図７Ｂ】図７Ａに示す受け取りバッグの開口部が密接となる断面図である。
【図８】本発明の一実施形態による排泄装置を示す構成図である。
【図９Ａ】本発明の一実施形態による底部を示す外観斜視図であり、排泄装置が閉合状態となる。
【図９Ｂ】本発明の一実施形態による排泄装置が閉鎖状態となり、受け取りバッグを掛けない底面図である。
【図９Ｃ】本発明の一実施形態による排泄装置が閉合状態となる平面図である。
【図９Ｄ】本発明の一実施形態による排泄装置が閉合状態となり、受け取りバッグを掛けない前面図である。
【図１０Ａ】本発明の一実施形態による排泄装置が閉合状態となる概略図である。
【図１０Ｂ】本発明の一実施形態による排泄装置が閉合状態となる概略図である。
【図１１】本発明の一実施形態による底部を示す外観斜視図であり、排泄装置が受け取りバッグを掛けて開放されないである。
【図１２】本発明の一実施形態による底部を示す外観斜視図であり、受け取りバッグを掛けて開放されたである。
【図１３】本発明の一実施形態による排泄装置及び受け取りバッグが共に開放される外観斜視図である。
【図１４】本発明の一実施形態が折り畳まれる外観斜視図である。
【発明を実施するための形態】
【００１２】
本発明における好適な実施形態について、添付図面を参照して説明する。尚、以下に説明する実施形態は、特許請求の範囲に記載された本発明の内容を限定するものではない。また、以下に説明される構成の全てが、本発明の必須要件であるとは限らない。
【００１３】
（一実施形態）
以下、本発明の排泄可能な折り畳み式車椅子９０を図３〜１０Ｂに基づいて説明する。好ましい実施形態によると、後端には２つのグリップ２１を有し、二側には肘掛け部２２をそれぞれ有する折り畳み可能な車椅子のフレーム２０と、前記車椅子のフレーム２０に枢接され、交差して枢接される複数の折り畳みフレーム３１を有し、前記車椅子のフレーム２０が堅固に展開されて定位されるか折り畳まれる折り畳みユニット３０と、前記車椅子のフレーム２０の間に連結される折り畳み可能なシート４０と、前記車椅子のフレーム２０の背もたれ棒２３に装設される折り畳み可能な背もたれマット５０と、前記車椅子のフレーム２０の外側にそれぞれ枢着される２つの駆動輪２４と、前記車椅子のフレーム２０の前端の下方にそれぞれ枢接される２つのキャスター２５とを備える。しかしながら、上記の構成は車椅子の先行技術(prior art)に属し、本発明の特許の目標ではないため、詳述は省く。ここで、「枢接」とは、ピン等で連結されていることである。また、「枢着」とは、回転可能な状態で取り付けられていることである。
【００１４】
本発明の主な特徴は、前記シート４０の中間には人体の臀部に適合される位置に、排出口４１及び前記シート４０の底面に設置される排泄装置６０が設置される。前記排泄装置６０は以下の部材を備える。
【００１５】
図７、図８に示すように、２枚の遮蔽板６１は、互いに対向し合って対称を呈して前記排出口４１の下方に併設され、前記２枚の遮蔽板６１はプラスチック板で構成され、且つ面積が前記排出口４１より大きく、前記２枚の遮蔽板の６１の外側はピボット部材６２により前記シート４０の底面に結合される。本実施形態において、前記ピボット部材６２はリベット４２により前記シート４０の底面に結合されるが、但しこれに限定されない。２枚の遮蔽板６１の隣接する２つの内側６１１は自由端を呈し、前記ピボット部材６２を回転軸として下に向けて展開されるか上に向けて閉合状態になる。また、前記２枚の遮蔽板６１の上表面にはクッション６３が各々設置され、且つ前記２枚の遮蔽板６１が閉合される場合、前記２つのクッション６３は平行状を呈して前記排出口４１内に突出される。前記クッション６３は前記排出口４１と平坦になるか、やや高くなる。
【００１６】
２つのブレーキ部材６４は、互いに対向し合って対応するように前記２枚の遮蔽板６１の底面及び二側に設置される（図１０Ａ及び図１０Ｂ参照）。前記２つのブレーキ部材６４により前記２枚の遮蔽板６１が制御されて閉合或いは展開される概略図を図示し、同時に他の図も示す。前記ブレーキ部材６４は、三段或いは三段以上のリンクポールで構成されるリンクポールセット６４０を備え、前記リンクポールセット６４０の第一リンクポールセット６４１の内側は第一ピン継手部材６５により前記２枚の遮蔽板６１の内側の底端に連結され、第二リンクポールセット６４２の内側及び前記第一リンクポールセット６４１の外側は第二ピン継手部材６６により枢接状態を呈し、且つ前記第二ピン継手部材６６は前記シート４０の底面に設置される横方向スライダー６７で左右方向に移動される。本実施形態において、前記第二ピン継手部材６６は前記横方向スライダー６７上で移動されるスライダー６６１を有する。第三リンクポールセット６４３の底側及び前記第二リンクポールセット６４２の外側はピン継手６４４であり、且つ前記第三リンクポールセット６４３は前記肘掛け部２２に設置される縦方向スライダー６８中で上下方向に移動される。
【００１７】
本実施形態において、前記第三リンクポールセット６４３の上端には連結される把持板２６をさらに備え、且つ前記第三リンクポールセット６４３の下端により前記車椅子のフレーム２０の対応する位置に設けられる縦方向案内孔２７が貫通される。
図１０Ｂに示すように、前記把持板２６が下に向けて押されると、前記第三リンクポールセット６４３が下に向けて移動され、さらに第二リンクポールセット６４２及び前記第一リンクポールセット６４１が引かれると外に向けて移動される。これにより、前記２枚の遮蔽板６１が連動されて前記ピボット部材６２を回転軸として下に向けて展開され、前記排出口４１が開かれて用を足すために使用される。反対に、前記把持板２６が上に向けて引かれると、前記第三リンクポールセット６４３が上に移動され、さらに第二リンクポールセット６４２及び前記第一リンクポールセット６４１が押されて内に向けて移動され、前記２枚の遮蔽板６１が前記ピボット部材６２を回転軸として上に向けて立ち上げられ、図１０Ｂに示す状態に戻り、閉合状態になって前記排出口４１が閉じられる。
【００１８】
本発明は２つのブレーキ部材６４により２枚の遮蔽板６１が制御されて排出口４１上で閉合状態になるか、或いは下に向けて展開され、且つ２つのブレーキ部材６４が互いに対向し合って対応するように前記シート４０及び２つの肘掛け部２２に設置される。このため、使用者が操作する上で非常に便利になる。
【００１９】
複数のフック６９は、配列状態で前記２枚の遮蔽板６１の内側の底端に固設され、且つ対になって相互に対向するように設置される。受け取りバッグ７０は（図７、図７Ａ参照）、ビニール袋等の防水性を有する材質である防水性材質で構成され、その上方には開口部７１を有し、且つ前記開口部７１の二側には前記フック６９に対する位置に複数のフック穴７２が設けられる。前記受け取りバッグ７０が前記２枚の遮蔽板６１の内側の底端に掛けられて、前記２枚の遮蔽板６１が下に向けて展開されると、同期して前記開口部７１が開かれ(図１２及び図１０Ｂ参照)、使用者の排泄物を受け取るために使用される。本実施形態において、前記受け取りバッグ７０の開口部７１の端には２つのジッパーバッグ７３が設けられ、すなわちフック穴７２の上方及び下方に設けられ、フック穴７２の強度が増強されるのみならず、図７Ｂに示すように、使用後に開口部７１を密接に閉合させるのが簡単になる。図３から図１０Ａに示す本発明に係る排泄装置６０は、前記受け取りバッグ７０が前記２枚の遮蔽板６１の内側の底端のフック６９に掛けられておらず、各部材の構造及び作動状況を明確に表示する。
【００２０】
このほか、本実施形態において、前記背もたれ棒２３の中段箇所には折曲可能な関節部材２３１が設置されるが、但しこれに制限されないが、これにより、車椅子が折り畳まれる場合、前記背もたれ棒２３がさらに折曲されて高さが低くなる。図１１には前記受け取りバッグ７０が前記２枚の遮蔽板６１の内側の底端に掛けられる概略図を図示する。前記２枚の遮蔽板６１が閉合状態になって前記排出口４１が閉じられる(図１１には図示せず)と、本発明に係る排泄可能な折り畳み式車椅子９０は、一般的な車椅子と同じようになり、機能面でも何ら影響はない。車椅子に座って患者が用を足す場合、患者は排泄可能な折り畳み式車椅子９０から離れずとも、看護婦または患者自身で前記把持板２６を使用して第三リンクポールセット６４３を押して下に向けて移動させ、前記２枚の遮蔽板６１を下に向けて展開させる。すなわち、図１０Ｂ、図１２及び図１３に示すように、前記２枚の遮蔽板６１が下に向けて展開されると、同期して前記受け取りバッグ７０が開かれ、患者がすぐに車椅子上で直接排泄できるようになる。さらには、患者が外出する場合、車椅子を車に載せると、本発明が図１４に示すような折り畳まれた状態になり、車で運搬するのに便利になる。
【００２１】
図４ないし図６に示すように、本発明には洗浄装置８０がさらに設置され、使用者の臀部の洗浄に用いられる。洗浄装置８０は、前記シート４０の下底の前記折り畳みフレーム３１に設置されると共に前記排出口４１に向けられるスプレーヘッド８１と、前記車椅子のフレーム２０に分離可能に掛着され、その排水口８２１が圧力ポンプ８３に連結される貯水ボトル８２と、一端が前記圧力ポンプ８３に連結され、他端が前記スプレーヘッド８１に連結される導水管８４とを備える。
【００２２】
本実施形態において、前記折り畳みフレーム３１の交差する交差ピン継手軸３２の上方にはそれぞれ枢着される２枚の板体３３をさらに備え、且つ前記２枚の板体３３の上端は中空ピボット３４により相互に枢接される(図９Ｄ参照)。前記洗浄装置８０の導水管８４は前記中空ピボット３４を貫通させた後に前記スプレーヘッド８１に連結される。前記スプレーヘッド８１は折り畳みフレーム３１の交差ピン継手軸３２の上方に設置され、前記２枚の遮蔽板６１が下に向けて展開されると、前記受け取りバッグ７０が開かれた後に前記排出口４１の下方に発生する空間で臀部の洗浄が行われる。
【００２３】
上述したように、図４ないし図６に示すように、前記背もたれマット５０の後側面には受け座５１及び面ファスナー５２をさらに備える。前記受け座５１は画布或いは弾性布で製造され、内側端５１１、５２１は前記背もたれマット５０の後側面に縫製され、面ファスナー５２は一般的な市販の肩ひもや自動車のシートベルトで構成される。前記貯水ボトル８２の底部が前記受け座５１に覆設され、前記面ファスナー５２により前記貯水ボトル８２が緊縛され、前記貯水ボトル８２に水が入っていない場合、面ファスナー５２を剥がすのみで洗浄用水を補充できる。また、前記貯水ボトル８２の一側辺には前記圧力ポンプ８３の納置に用いられる第一凹部８２２が形成され、且つ前記貯水ボトル８２の他側辺には、電池セット８５が装設されて前記圧力ポンプ８３に電源が提供される第二凹部８２３がさらに形成される。こうして、本発明に係る車椅子は、用を足す以外に、車椅子上で直接自動的に洗浄が行われる。
【００２４】
本発明に係る排泄装置６０の２枚の遮蔽板６１は互いに対向し合って対応するように前記シート４０の底面に設置され、且つ２つのブレーキ部材６４は互いに対向し合って対応するように前記シート４０及び車椅子のフレーム２０の二側に設置される。すなわち、本発明に係る排泄装置６０は、車椅子の正常な機能に影響を与えずに、その構造設計を従来の車椅子に融合させることで、平時では一般的な車椅子として使用でき、その上、外出するために車に乗せると、図１４に示すように折り畳まれるため、車で運搬するのが便利になる。また、使用者が用を足す場合、車椅子上で直接操作して排泄装置６０を開いて用を足すことができる。さらには、洗浄装置８０により使用者の臀部が洗浄されるため、患者が車椅子から下りたり座ったりする必要が全くなく、自力で排泄及び洗浄が行えるため、患者の尊厳を護りつつも利便性が向上し、且つ看護婦や家族にとっても負担が軽減されるという、人に優しい設計の車椅子である。
【００２５】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良または変更は、後述の請求項に含まれるものとする。
【符号の説明】
【００２６】
２０  車椅子のフレーム、
２１  グリップ、
２２  肘掛け部、
２３  背もたれ棒、
２３１折曲可能な関節部材、
２４  駆動輪、
２５  キャスター、
２６  把持板、
２７  縦方向案内孔、
３０  折り畳みユニット、
３１  折り畳みフレーム、
３２  ピン継手軸、
３３  板体、
３４  中空ピボット、
４０  シート、
４１  排出口、
４２  リベット、
５０  背もたれマット、
５１  受け座、
５１１  内側端、
５２  面ファスナー、
５２１  内側端、
６０  排泄装置、
６１  遮蔽板、
６１１  内側、
６２  ピボット部材、
６３  クッション、
６４  ブレーキ部材、
６４０  リンクポールセット、
６４１  第一リンクポールセット、
６４２  第二リンクポールセット、
６４３  第三リンクポールセット、
６４４  ピン継手、
６５  第一ピン継手部材、
６６  第二ピン継手部材、
６６１  スライダー、
６７  横方向スライダー、
６８  縦方向スライダー、
６９  フック、
７０  受け取りバッグ、
７１  開口部、
７２  フック穴、
７３  ジッパーバッグ、
８０  洗浄装置、
８１  スプレーヘッド、
８２  貯水ボトル、
８２１  排水口、
８２２  第一凹部、
８２３  第二凹部、
８３  圧力ポンプ、
８４  導水管、
８５  電池、
９０  排泄可能な折り畳み式車椅子。
【図１】
2018000606.tif 000003
【図２Ａ】
2018000606.tif 000004
【図２Ｂ】
2018000606.tif 000005
【図３】
2018000606.tif 000006
【図４Ａ】
2018000606.tif 000007
【図４Ｂ】
2018000606.tif 000008
【図５】
2018000606.tif 000009
【図６】
2018000606.tif 000010
【図７】
2018000606.tif 000011
【図７Ａ】
2018000606.tif 000012
【図７Ｂ】
2018000606.tif 000013
【図８】
2018000606.tif 000014
【図９Ａ】
2018000606.tif 000015
【図９Ｂ】
2018000606.tif 000016
【図９Ｃ】
2018000606.tif 000017
【図９Ｄ】
2018000606.tif 000018
【図１０Ａ】
2018000606.tif 000019
【図１０Ｂ】
2018000606.tif 000020
【図１１】
2018000606.tif 000021
【図１２】
2018000606.tif 000022
【図１３】
2018000606.tif 000023
【図１４】
2018000606.tif 000024